(57)【要約】【課題】デジタル信号のエラーや不具合に応じてトランスポートストリームの記録開始、記録停止を容易にコントロールする。【解決手段】デジタル放送受信装置２において受信した搬送波を復調して生成したトランスポートストリームを電子機器４に伝送し伝送したトランスポートストリームを制御するための制御信号をネットワークを介して電子機器４へ送信し、電子機器４においてデジタル放送受信装置２から伝送されたトランスポートストリームを、デジタル放送受信装置２から受信した制御信号に基づき制御する。【選択図】　図３
2004032426.tif 000002
【特許請求の範囲】
【請求項１】
トランスポートストリームを放送信号として適用したデジタル放送を受信するデジタル放送受信装置において、
受信した搬送波を復調してトランスポートストリームを出力する復調手段と、
上記復調手段から出力された上記トランスポートストリームを電子機器へ伝送するストリーム伝送手段と、
上記伝送したトランスポートストリームを制御するための制御信号を上記電子機器へ送信する制御信号送信手段とを備えること
を特徴とするデジタル放送受信装置。
【請求項２】
上記制御信号送信手段は、上記電子機器においてトランスポートストリームを制御するコードと同種の制御信号を、上記電子機器へ送信すること
を特徴とする請求項１記載のデジタル放送受信装置。
【請求項３】
上記制御信号送信手段は、ＵＳＢ（Ｕｎｉｖｅｒｓａｌ　Ｓｅｒｉａｌ　Ｂｕｓ）インターフェースを介して上記制御信号を送信すること
を特徴とする請求項１記載のデジタル放送受信装置。
【請求項４】
上記制御信号送信手段は、シリアルインターフェースを介して上記制御信号を送信すること
を特徴とする請求項１記載のデジタル放送受信装置。
【請求項５】
上記制御信号送信手段は、上記電子機器においてトランスポートストリームの記録を開始し、或いは記録を停止する旨を示す制御信号を、上記電子機器へ送信すること
を特徴とする請求項１記載のデジタル放送受信装置。
【請求項６】
受信した搬送波に応じて上記制御信号を生成する制御信号生成手段を備えること
を特徴とする請求項１記載のデジタル放送受信装置。
【請求項７】
上記制御信号送信手段は、着脱自在のユニットで構成されること
を特徴とする請求項１記載のデジタル放送受信装置。
【請求項８】
デジタル放送受信装置が受信したトランスポートストリームを電子機器へ伝送して所定の処理を実行する信号処理システムにおいて、
受信した搬送波を復調してトランスポートストリームを生成し、当該生成したトランスポートストリームを上記電子機器へ伝送し、上記伝送したトランスポートストリームを制御するための制御信号をインターフェースを介して上記電子機器へ送信するデジタル放送受信装置と、
上記デジタル放送受信装置から伝送されたトランスポートストリームを、受信した上記制御信号に基づき制御する電子機器とを備えること
を特徴とする信号処理システム。
【請求項９】
上記デジタル放送受信装置は、上記電子機器においてトランスポートストリームを制御するコードと同種の制御信号を、上記電子機器へ送信すること
を特徴とする請求項８記載の信号処理システム。
【請求項１０】
上記インターフェースは、ＵＳＢ（Ｕｎｉｖｅｒｓａｌ　Ｓｅｒｉａｌ　Ｂｕｓ）インターフェースであること
を特徴とする請求項８記載の信号処理システム。
【請求項１１】
上記インターフェースは、シリアルインターフェースであること
を特徴とする請求項８記載の信号処理システム。
【請求項１２】
上記デジタル放送受信装置は、上記電子機器においてトランスポートストリームの記録を開始し、或いは記録を停止する旨を示す制御信号を、上記電子機器へ送信すること
を特徴とする請求項１記載のデジタル放送受信装置。
【請求項１３】
上記電子機器は、上記デジタル放送受信装置から、上記記録を開始する旨の制御信号を受けて、伝送されたトランスポートストリームの記録を開始すること
を特徴とする請求項１２記載の信号処理システム。
【請求項１４】
上記電子機器は、上記デジタル放送受信装置から、上記記録を停止する旨の制御信号を受けて、伝送されたトランスポートストリームの記録を停止すること
を特徴とする請求項１２記載の信号処理システム。
【請求項１５】
上記デジタル放送受信装置は、受信した搬送波に応じて上記制御信号を生成する制御信号生成手段を備えること
を特徴とする請求項８記載の信号処理システム。
【発明の詳細な説明】
【０００１】
【発明の属する技術分野】
本発明は、ＭＰＥＧ−２ｓｙｓｔｅｍｓに規定されたトランスポートストリームを放送信号として適用したデジタル放送を受信するデジタル放送受信装置及び信号処理システムに関する。
【０００２】
【従来の技術】
近年、米国や欧州諸国において、ＭＰＥＧ（Ｍｏｖｉｎｇ　Ｐｉｃｔｕｒｅ　Ｅｘｐｅｒｔｓ　Ｇｒｏｕｐ）−１やＭＰＥＧ−２等による画像圧縮符号化技術を応用して、ビデオ信号及びオーディオ信号を符号化し、インターネット等のネットワークを利用してテレビジョン放送等の動画像を放送するシステムが普及しつつある。
【０００３】
かかるシステムでは、ネットワークを介してデジタル伝送された符号化信号を受信側にて復調するための受信装置が必要となる。この受信装置は、複数チャネルのデータが多重化されたデジタル信号から所望のチャネルのトランスポートストリームを選択するチューナと、選択したトランスポートストリームから所望のプログラムのビデオデータとオーディオデータを分離する分離部と、分離したビデオデータ及びオーディオデータを復号化するデコーダとを備えている。
【０００４】
【発明が解決しようとする課題】
ところで、受信したデジタル信号のエラーや不具合により、音声処理系が乱れたりデコーダの処理が停止する等の支障が生じる場合がある。このため、受信した該デジタル信号を復調することにより得たトランスポートストリームをパーソナルコンピュータ等の電子機器に記録してこれを解析し、エラー原因を究明して適切な処置を施す必要がある。
【０００５】
しかしながら、かかるデジタル信号のエラーや不具合は、いつ発生するか予測することが困難であるため、あらゆる放送時間帯においてオペレーターがトランスポートストリームの記録を開始させ、或いは停止させる必要があった。このため、従来よりオペレータの労力の負担を軽減させて効率化を図れるシステムが従来より望まれていた。
【０００６】
また、あらゆる放送時間においてトランスポートストリームを記録するためには大容量のハードディスクが必要となり、仮に、ハードディスクの容量の許容範囲内において全放送時間のトランスポートストリームを記録しても、エラーや不具合が生じた時間帯のトランスポートストリームを特定することは困難を極め、多大な時間や労力を要するという問題点があった。このため、デジタル信号のエラーや不具合に応じて電子機器におけるトランスポートストリームの記録開始、記録停止を容易にコントロールすることができ、特に既存の電子機器に対してユニットの付加・増設或いは設定変更を必要としないシステムが従来から望まれていた。
【０００７】
そこで、本発明は上述した問題点に鑑みて案出されたものであり、その目的とするところは、既存の電子機器に対しても、デジタル信号のエラーや不具合に応じてトランスポートストリームの記録開始、記録停止を容易にコントロールすることができるデジタル放送受信装置及び信号処理システムを提供することにある。
【０００８】
【課題を解決するための手段】
本発明に係るデジタル放送受信装置は、上述の課題を解決するために、トランスポートストリームを放送信号として適用したデジタル放送を受信するデジタル放送受信装置において、受信した搬送波を復調してトランスポートストリームを出力する復調手段と、上記復調手段から出力された上記トランスポートストリームを電子機器へ伝送するストリーム伝送手段と、上記伝送したトランスポートストリームを制御するための制御信号を上記電子機器へ送信する制御信号送信手段とを備えることを特徴とする。
【０００９】
このデジタル放送受信装置は、受信した搬送波を復調して生成したトランスポートストリームを電子機器に伝送し、また伝送したトランスポートストリームを制御するための制御信号をネットワークを介して電子機器へ送信することにより、電子機器に対して伝送したトランスポートストリームを制御させる。
【００１０】
本発明に係る信号処理システムは、デジタル放送受信装置が受信したトランスポートストリームを電子機器へ伝送して所定の処理を実行する信号処理システムにおいて、受信した搬送波を復調してトランスポートストリームを生成し当該生成したトランスポートストリームを上記電子機器へ伝送し上記伝送したトランスポートストリームを制御するための制御信号をインターフェースを介して上記電子機器へ送信するデジタル放送受信装置と、上記デジタル放送受信装置から伝送されたトランスポートストリームを、受信した上記制御信号に基づき制御する電子機器とを備えることを特徴とする。
【００１１】
この信号処理システムは、デジタル放送受信装置において受信した搬送波を復調して生成したトランスポートストリームを電子機器に伝送し伝送したトランスポートストリームを制御するための制御信号をネットワークを介して電子機器へ送信し、電子機器においてデジタル放送受信装置から伝送されたトランスポートストリームを、デジタル放送受信装置から受信した制御信号に基づき制御する。
【００１２】
【発明の実施の形態】
以下、本発明の実施の形態について図面を参照しながら詳細に説明する。
【００１３】
本発明は、例えば図１に示すような信号処理システム１に適用される。
【００１４】
この信号処理システム１は、ＭＰＥＧ（Ｍｏｖｉｎｇ　Ｐｉｃｔｕｒｅ　Ｅｘｐｅｒｔｓ　Ｇｒｏｕｐ）−２ｓｙｓｔｅｍｓに規定されたトランスポートストリーム（ＴＳ）を放送信号として適用したデジタル放送を受信するデジタル放送受信装置２と、該トランスポートストリームを処理する電子機器４と、トランスポートストリームを伝送するＴＳ伝送系５と、後述する制御信号を送信するためのインターフェース６とを備えている。
【００１５】
ＴＳ伝送系５は、デジタル放送受信装置２から出力されたトランスポートストリームの電気的レベルを変換して電子機器４へ伝送する。このＴＳ伝送系は、この電気的レベルの変換をレベル変換部５１を介して行い、例えばＴＴＬレベルで出力されるトランスポートストリームを電子機器４の電気規格であるＬＶＤＳに変換する。
【００１６】
インターフェース６は、ＵＳＢインターフェースやシリアルインターフェース等のように電子機器４に周辺機器を接続できるバスである。このインターフェース６は、接続した電子機器４に対して電源を供給するための電源線と、データを送受信するための通信線から構成されるシリアル伝送系のバスである。また、インターフェース６は、デージーチェーンやノード分岐の自由な接続形態を採用することが可能であり、優先的にデータを送信することができる。更に、インターフェース６は、電源を入れたままでケーブルを着脱することが可能であり、ノードが追加／削除された時点で自動的にバスによるネットワークの再構成を行うこともできる。
【００１７】
デジタル放送受信装置２は、複数チャネルのデータが多重化されたデジタル信号から所望のチャネルのトランスポートストリームを選択し、選択したトランスポートストリームから所望のプログラムのビデオデータとオーディオデータを分離してこれらを復号化し、テレビジョン受像機７へ送信する。また、このデジタル放送受信装置２は、受信した搬送波を復調してトランスポートストリームを生成し、当該生成したトランスポートストリームを電子機器４へＴＳ伝送系５を介して伝送する。このデジタル放送受信装置２は、伝送したトランスポートストリームを制御するための制御信号をインターフェース６を介して電子機器４へ送信する。なお、このデジタル放送受信装置２の内部構成については後に詳細に説明する。
【００１８】
電子機器４は、例えばパーソナルコンピュータ等のように、ＷｉｎｄｏｗｓＮＴやＷｉｎｄｏｗｓ２０００をＯＳとして使用するハードウェア、ソフトウェア環境を有するデバイスである。この電子機器４は、例えばパーソナルコンピュータ等のように、ユーザにより操作されるデバイスである。
【００１９】
電子機器４は、図１に示すように制御信号入力ポート４１と、ＴＳ入力ポート４２と、ユーザ操作部４３と、制御部４４と、ＴＳ格納部４５とを備えている。
【００２０】
制御信号入力ポート４１は、ＵＳＢ（Ｕｎｉｖｅｒｓａｌ　Ｓｅｒｉａｌ　Ｂｕｓ）インターフェースやシリアルインターフェース等のインターフェース６を接続可能なポートであり、かかるインターフェース６を介してデジタル放送受信装置２から制御信号が送信される。
【００２１】
ＴＳ入力ポート４２は、デジタル放送受信装置２からＴＳ伝送系５を介してトランスポートストリームが伝送される。
【００２２】
ユーザ操作部４３は、ユーザが上述したＷｉｎｄｏｗｓプログラムに基づいて電子機器４へ情報を入力するためのキーボードやマウス等からなり、ユーザの入力操作に応じて所定の制御信号を生成する。
【００２３】
制御部４４は、制御信号入力ポート４１に送信された制御信号に基づき、ＴＳ入力ポート４２に伝送されたトランスポートストリームを制御する。また、この制御部４４は、ユーザ操作部４３により生成された制御信号に基づき、ＴＳ入力ポート４２に伝送されたトランスポートストリームを制御する。なお、制御信号入力ポート４１に送信された制御信号のコードは、ユーザ操作部４３により生成された制御信号のコードと同種であることが望ましい。
【００２４】
制御部４４は、例えばデジタル放送受信装置２からトランスポートストリームの記録を開始する旨の制御信号を受けて、伝送されたトランスポートストリームをＴＳ格納部４５へ書き込む。また、この制御部４４は、例えばデジタル放送受信装置２からトランスポートストリームの記録を停止する旨の制御信号を受けて、伝送されたトランスポートストリームのＴＳ格納部４５への書き込みを停止する。
【００２５】
ＴＳ格納部４５は、ハードディスクやメモリ等から構成され、制御部４４による制御に基づいて、伝送されたトランスポートストリームを所定のアドレスに格納する。ちなみに、このＴＳ格納部４５は、自身のハードディスク或いはメモリ等の一部を繰り返しループさせてトランスポートストリームを記録しても良い。
【００２６】
次に、デジタル放送受信装置２の内部構成の詳細について図２を用いて説明をする。
【００２７】
デジタル放送受信装置２は、選局部２０と、復調部２１と、デスクランブラ２２と、分離部２３と、デコーダ２４と、合成器２５と、エンコーダ２６と、ＣＰＵ２７と、ＩＣカードインターフェース２８と、モデム３１と、フラッシュメモリ３３と、ＲＡＭ３４と、ＲＯＭ３５とを備えて構成される。
【００２８】
選局部２０には、例えば図示しないパラボラアンテナにより受信されたデジタル信号が入力される。また選局部２０は、受信したデジタル信号に関する情報をＣＰＵ２７等に送信する。選局部２０は、増幅、周波数変換、フィルタリング等の処理を行い、ＩＦ信号を出力する。出力されたＩＦ信号は、復調部２１に供給される。
【００２９】
復調部２１は、ＩＦ信号に対してデジタル直交変調、デパンクチャリング、ビタビ復号、デインタリーブ、逆エネルギー拡散、ＲＳ復号、トランスポートストリーム選択処理等を行い、視聴者が受信を希望するサービスが含まれているトランスポートストリームを出力する。このトランスポートストリームは、１８８バイトのトランスポートストリームパケット単位でデータがパケット化されている。復調部２１から出力されたトランスポートストリームは、デスクランブラ２２に供給される。
【００３０】
デスクランブラ２２は、所定の暗号キーを用いてスクランブルされているトランスポートストリームに対して、デスクランブル処理（復号化）を行う。デスクランブル処理されたトランスポートストリームは、分離部２３及びＴＳ出力ポートに供給される。
【００３１】
分離部２３は、供給されてきたトランスポートストリームパケットのＰＩＤ（Ｐａｃｋｅｔ　Ｉｄｅｎｔｉｆｉｃａｔｉｏｎ　）を参照して、必要なトランスポートストリームパケット（例えば視聴者が視聴を希望するプログラムのビデオ情報、オーディオ情報、データ情報が含まれたトランスポートストリームパケットや、そのプログラムの再生等に必要となるＰＳＩ（Ｐｒｏｇｒａｍ　Ｓｐｅｃｉｆｉｃ　Ｉｎｆｏｒｍａｔｉｏｎ）やＳＩ（Ｓｅｒｖｅｓ　Ｉｎｆｏｒｍａｔｉｏｎ）といった情報が記述された制御用のトランスポートストリームパケット）を抽出するフィルタリング処理を行う。映像情報、音声情報、データ情報が含まれているトランスポートストリームパケットは、映像、音声、データにそれぞれ分離され、映像エレメンタリストリーム（ＥＳ）、音声ＥＳ、データＥＳとして、それぞれデコーダ２４に供給される。なお、制御用のトランスポートストリームパケットは、ＣＰＵ２７に供給される。
【００３２】
デコーダ２４は、圧縮符号化されている映像ＥＳ、音声ＥＳ等に対する伸張処理を行い、ベースバンドの映像ＥＳ、音声ＥＳ等を出力する。出力された映像ＥＳ、音声ＥＳ等は、合成器２５に供給される。
【００３３】
合成器２５は、供給されてきたＥＳパケットの重ね合わせ処理したり、表示部２２を介して複数映像を同時表示する。また重ね合わせ処理が施された映像ＥＳ、音声ＥＳは、エンコーダ２６へ供給される。
【００３４】
エンコーダ２６は、供給された映像ＥＳ、音声ＥＳ等を元のアナログ信号に変換する。この変換されたアナログ信号は、テレビジョン受像機７へ供給される。
【００３５】
ＣＰＵ２７は、上記選局部２０と、復調部２１と、デスクランブラ２２と、分離部２３と、デコーダ２４と、合成器２５と、エンコーダ２６に対する制御を行う。また、このＣＰＵ２７は、受信したデジタル信号に関する情報に基づいて、制御信号を生成する。ちなみにこの制御信号のコードは、電子機器４におけるトランスポートストリームを制御するコードと同種とする。例えばユーザ操作部４３においてマウスの左クリックに相当する制御信号のコードを、このＣＰＵ２７から制御信号として生成すれば、デジタル放送受信装置２から電子機器４へ上述の左クリックに相当する制御信号のコードを送信することもできる。また、ユーザ操作部４３においてキーボードの”Ａｌｔ＋Ｆ”に相当する制御信号のコードを、このＣＰＵ２７から制御信号として生成すれば、デジタル放送受信装置２から電子機器４へ、上述の”Ａｌｔ＋Ｆ”に相当する制御信号のコードを送信することもできる。
【００３６】
ＩＣカードインターフェース２８は、デジタル放送受信機１に装備することになっている限定受信（Ｃｏｎｄｉｔｉｏｎａｌ　Ａｃｃｅｓｓ）のためのＩＣカード用のインターフェースである。
【００３７】
ＴＳ出力ポート２９はデスクランブラ２２から供給されたトランスポートストリームをＴＳ伝送系５へ送信するためのポートである。すなわち、このデジタル放送受信装置２は、テレビジョン受像器７へ送信するトランスポートストリームを抽出するとともに、電子機器４へトランスポートストリームを伝送することができる。
【００３８】
制御信号出力ポート３０は、ＵＳＢインターフェースやシリアルインターフェース等のインターフェース６を接続可能なポートであり、ＣＰＵ２７により生成された制御信号をインターフェース６を介して電子機器４へ送信する。
【００３９】
その他、このデジタル放送受信機２は、公衆通信網とデータを送受信するための電話回線を接続するモデム３１、所定のデータを格納するフラッシュメモリ３３、データの蓄積や展開等に使用する作業領域としてのＲＡＭ３４、実行すべきプログラムを格納するＲＯＭ３５を備える。
【００４０】
すなわち、上述した構成からなるデジタル放送受信装置２は、受信したデジタル信号の情報に基づいて、電子機器４の制御信号と同種のコードからなる制御信号を作り出し、これをＵＳＢインターフェース等を介して電子機器４へ送信することが可能となる。これにより、受信したデジタル信号の内容に基づいて、電子機器４を自在に制御することも可能となる。このため、デジタル放送受信装置２は、例えば電子機器４に伝送されたトランスポートストリームの記録の開始、或いは記録の停止を、受信したデジタル信号の内容に基づいて自在にコントロールすることも可能となる。
【００４１】
次に本発明を適用した信号処理システム１の動作例について図３を用いて説明をする。
【００４２】
先ずステップＳ１１においてデジタル放送受信装置２が起動されデジタル信号の受信を開始する。またステップＳ２１において電子機器４が起動され、ステップＳ２２においてトランスポートストリームを記録するためのプログラムが動作される。
【００４３】
次にデジタル放送受信装置２は、ステップＳ１２においてトランスポートストリームの記録が必要か否か判断し、必要な場合にはステップＳ１３へ移行する。またトランスポートストリームの記録が必要でない場合にはステップＳ１４へ移行する。なおこのステップＳ１２において、デジタル放送受信装置２は、例えば受信したデジタル信号の情報に基づいてトランスポートの記録が必要か否か判断しても良い。
【００４４】
ステップＳ１３において、デジタル放送受信装置２は、トランスポートストリームを記録する旨の制御信号をインターフェース６を介して電子機器４へ送信する。電子機器４は、デジタル放送受信装置２からトランスポートストリームを受けてステップＳ２３へ移行し、自身のＴＳ格納部４５に該トランスポートストリームを記録する。このステップＳ１３へ移行した後もデジタル放送受信装置２は、常にデジタル信号を受信し続け、受信したデジタル信号の情報から次の制御信号を生成すべきか判断を行う。ちなみに、ステップＳ２３へ移行した電子機器４は、次の制御信号が送信されるまで延々とトランスポートストリームを記録しても良いし、一定時間後にトランスポートストリームの記録を停止しても良い。
【００４５】
ステップＳ１４において、デジタル放送受信装置２は、受信したデジタル信号の中にトランスポートの記録を停止する旨の情報が含まれているか否か判断を行う。このトランスポートストリームの記録を停止する旨の情報が含まれている場合として、例えば「音声処理系からの戻りが無い」、「デコーダ２４の処理が停止した」等のように予め決めておいても良い。
【００４６】
次にステップＳ１５へ移行し、デジタル放送受信装置２は、ステップＳ１５における判断に基づき、電子機器４において行われているトランスポートストリームの記録を継続すべきか、或いは停止すべきか判断を行う。その結果、上述のトランスポートストリームの記録を停止すべきと判断した場合には、ステップＳ１６へ移行し、デジタル放送受信装置２から電子機器４に対して、トランスポートストリームの記録を停止する旨の制御信号を送信する。一方、トランスポートストリームの記録を継続すべきと判断した場合には、再度ステップＳ１４へ移行する。
【００４７】
電子機器４は、デジタル放送受信装置２からトランスポートストリームの記録を停止する旨の制御信号を受けて、ステップＳ１４へ移行し、トランスポートストリームの記録を停止する。
【００４８】
以上詳細に説明したように、本発明を適用したデジタル放送受信装置２は、受信したデジタル信号の情報に基づいて、電子機器４に対して伝送したトランスポートストリームの記録を開始させ、或いはトランスポートストリームの記録を停止させることができる。このため、例えばトランスポートストリームの記録開始或いは記録停止する旨の制御信号を、受信したデジタル信号のプログラムのデバッグ時やエラー発生時に連動させておくことにより、いつ発生するか予測することができないリアルタイム放送のデバッグに対しても適切にトランスポートストリームを記録することができ、また問題箇所のトランスポートストリームを容易に特定することができる。これにより、人手をかけず自動的に、デバッグ時やエラー時におけるトランスポートストリームを記録することができ、またこれを解析することによりエラー原因を究明して適切な処置を施すことが可能となる。
【００４９】
また、電子機器４において、ＴＳ格納部４５の機能としてハードディスクやメモリの一部を繰り返しループさせてトランスポートストリームを記録させることもできる。このため電子機器４は、最小限の時間で、最小限の容量の記録領域にトランスポートストリームを繰り返し記録しつつ、デバッグ時やエラー時に適宜記録を停止させることができる。これにより予測困難なデジタル信号のエラーや不具合が発生しても、最小限のＴＳ格納部の記録領域において、必要なトランスポートストリームを書き込むことができる。
【００５０】
また、デジタル放送受信装置２から電子機器４へ送信する制御信号のコードは、電子機器４においてユーザ操作部４３により生成された制御信号のコードと同種とすることもできる。これにより、既存のパーソナルコンピュータ等に対してもインターフェース６を接続するＵＳＢポート等が内蔵されていれば、同種の制御信号を送信することができる。このため、本発明は、既存の電子機器４に対してユニットの付加・増設或いは設定変更をする必要がなくなり、効率化の観点からも優位性を保つことができる。
【００５１】
また電子機器４として、記録したトランスポートストリームをその都度解析できるパーソナルコンピュータ等を利用することにより、記録開始時或いは記録停止直前のトランスポートストリームを解析することができ、デジタル受信信号のエラーや不具合の原因が、トランスポートストリーム自体の不具合であるか、或いはデジタル受信信号のプログラムの誤解釈か等、容易に特定することができる。
【００５２】
さらに電子機器４として、記録したトランスポートストリームの再生機能を有するパーソナルコンピュータを利用することにより、記録したトランスポートストリームを常時再生することによりデバッグの改善効率を向上させることもできる。
【００５３】
なお、本発明では、主としてデジタル放送受信装置２から電子機器４へ伝送したトランスポートストリームを記録する例について説明をしたが、かかる例に限定されるものではなく、記録したトランスポートストリームの解析や再生等、電子機器４のあらゆる動作を制御信号を通じて制御しても良い。
【００５４】
【発明の効果】
本発明に係るデジタル放送受信装置は、受信したデジタル信号の情報に基づいて、電子機器の制御信号と同種のコードからなる制御信号を作り出し、これをＵＳＢインターフェース等を介して電子機器へ送信することができる。
【００５５】
これにより、受信したデジタル信号の内容に基づいて、電子機器を自在に制御することができる、
また本発明に係る信号処理システムは、デジタル放送受信装置において、受信した搬送波を復調して生成したトランスポートストリームを電子機器に伝送し伝送したトランスポートストリームを制御するための制御信号をネットワークを介して電子機器へ送信し、電子機器において、デジタル放送受信装置から伝送されたトランスポートストリームを、デジタル放送受信装置から受信した制御信号に基づき制御する。
【００５６】
これにより、制御信号を受信したデジタル信号のプログラムのデバッグ時やエラー発生時に連動させておくことにより、いつ発生するか予測することができないリアルタイム放送のデバッグに対しても適切にトランスポートストリームを記録することができ、また問題箇所のトランスポートストリームを容易に特定することができる。これにより、人手をかけず自動的に、デバッグ時やエラー時におけるトランスポートストリームを記録することができ、またこれを解析することによりエラー原因を究明して適切な処置を施すことが可能となる。
【００５７】
また、電子機器において、ＴＳ格納部の一部を繰り返しループさせてトランスポートストリームを記録させることもでき、予測困難なデジタル信号のエラーや不具合が発生しても、最小限のＴＳ格納部の記録領域において、必要なトランスポートストリームを書き込むことができる。
【００５８】
また、デジタル放送受信装置から電子機器へ送信する制御信号のコードを、電子機器においてユーザ操作部により生成された制御信号のコードと同種とすることにより、電子機器側に対してユニットの付加・増設或いは設定変更をする必要がなくなり、効率化の観点からも優位性を保つことができる。
【図面の簡単な説明】
【図１】本発明を適用した信号処理システムを説明するための図である。
【図２】デジタル放送受信装置のブロック構成を示した図である。
【図３】本発明を適用した信号処理システムの手順を示したフローチャートである。
【符号の説明】
１　信号処理システム、２　デジタル放送受信装置、４　電子機器、５　ＴＳ伝送系、６　インターフェース、７　テレビジョン受像機、２０　選局部、２１復調部、２２　デスクランブラ、２３　分離部、２４　デコーダ、２５　合成器、２６　エンコーダ、２７　ＣＰＵ、２８　ＩＣカードインターフェース、２９　ＴＳ出力ポート、３０　制御信号出力ポート、３１　モデム、３３　フラッシュメモリ、３４　ＲＡＭ、３５　ＲＯＭ
【図１】
2004032426.tif 000003
【図２】
2004032426.tif 000004
【図３】
2004032426.tif 000005